(57)【要約】【課題】複数種類の用土や肥料等を準備する必要がなく、好みの植木鉢等に簡単に移し替えて、手軽に園芸を楽しむことを可能とする容器入り園芸用土を提供する。【解決手段】所定の箇所が開口可能に構成してある密閉容器と、前記密閉容器中に充填され、鉢底石を含有する大粒径用土層及び他の用土を含有する小粒径用土層からなる層構造が形成されている園芸用土と、を備えており、前記密閉容器の開口が、前記小粒径用土層より先に前記大粒径用土層が吐出される位置に形成されるようにした。【選択図】図１
2011130746.tif 000002
【特許請求の範囲】
【請求項１】
所定の箇所が開口可能に構成してある密閉容器と、
前記密閉容器中に充填され、鉢底石を含有する大粒径用土層及び他の用土を含有する小粒径用土層からなる層構造が形成されている園芸用土と、を備えており、
前記密閉容器の開口が、前記小粒径用土層より先に前記大粒径用土層が吐出される位置に形成されることを特徴とする容器入り園芸用土。
【請求項２】
前記大粒径用土層と前記小粒径用土層との間に、メッシュが配設されている請求項１記載の容器入り園芸用土。
【請求項３】
前記密閉容器が、その底部側面に形成された挿入孔から挿入されて、前記密閉容器の底を塞ぐ、引抜き除去可能な底板を備えている請求項１又は２記載の容器入り園芸用土。
【請求項４】
前記小粒径用土層が、瓦破砕材を含有している請求項１、２又は３記載の容器入り園芸用土。
【発明の詳細な説明】
【技術分野】
【０００１】
本発明は、手を汚さずに、容易に植木鉢等に移し替えることができ、手軽に園芸を楽しむことを可能とする容器入り園芸用土に関する。
【背景技術】
【０００２】
植物の植え付けや植え替えには、数種類の用土や肥料等が必要であるが、従来、家庭用園芸用土や肥料は、５Ｌ、１０Ｌ又は２０Ｌ容量の袋に収容されて販売されている。
【０００３】
これら大容量の袋に収容されて販売されている家庭用園芸用土や肥料は、嵩高く、かつ、重いので、複数種類の用土や肥料等を購入して持ち帰る一連の作業は労力を要し、特に園芸愛好者に占める割合の多い高齢者にとっては困難な作業である。
【０００４】
また、これらの家庭用園芸用土や肥料を、それが収容されている大容量の袋から植木鉢等のプランタに移し替えようとすると、用土や肥料が周囲に飛び散ったり、こぼれたりして作業スペースが汚れるといった事態が生じやすい。また、余った用土や肥料の保管は、嵩張るうえに煩わしい。
【０００５】
このような不都合を解消するために、近時、特許文献１〜３に記載されているような、そのままプランタとして使用できる少量の培養土入り容器が販売されている。
【先行技術文献】
【特許文献】
【０００６】
【特許文献１】特開２００２−１３６２２１号公報
【特許文献２】特開２００４−２４８５１５号公報
【特許文献３】特開２００４−２９８０７２号公報
【発明の概要】
【発明が解決しようとする課題】
【０００７】
しかしながら、このような培養土入り容器は簡素なものであり、デザイン面では充分満足できるとは言い難いものである。このため、当該容器内の培養土を好みの植木鉢等に移し替えて使用したいという要求がある。
【０００８】
ところが、当該培養土入り容器は、種苗を植えた後はそのままプランタとして使用することを想定しているため、他の植木鉢等に移し替えると、植栽面側に配置された粒径の小さい用土が植木鉢の底側に充填されることになる。また、上述のような培養土入り容器の培養土には鉢底石が含まれていない場合も多い。このため、このような培養土をそのまま植木鉢等に移し替えて使用することは適当ではない。
【０００９】
本発明はかかる問題点に鑑みなされたものであって、複数種類の用土や肥料等を準備する必要がなく、好みの植木鉢等に簡単に移し替えて、手軽に園芸を楽しむことを可能とする容器入り園芸用土を提供することをその主たる所期課題としたものである。
【課題を解決するための手段】
【００１０】
すなわち本発明に係る容器入り園芸用土は、所定の箇所が開口可能に構成してある密閉容器と、前記密閉容器中に充填され、鉢底石を含有する大粒径用土層及び他の用土を含有する小粒径用土層からなる層構造が形成されている園芸用土と、を備えており、前記密閉容器の開口が、前記小粒径用土層より先に前記大粒径用土層が吐出される位置に形成されることを特徴とする。
【００１１】
このようなものであれば、前記密閉容器が、前記小粒径用土層より先に前記大粒径用土層を吐出するように開口するので、それに収容されている園芸用土を植木鉢に移し替えると、鉢底石が植木鉢内の下側（底側）に充填され、粒径が小さい他の用土が植木鉢内の上側（植栽面側）に充填される。このため植木鉢内に充填された園芸用土は、良好な通気性、排水性、保水性、保肥性を発現することができる。また、本発明に係る容器入り園芸用土では、鉢底石と培養土等が一括して密閉容器内に収容されているので、複数種類の用土や肥料等を別個に用意する手間を省くことができる。
【００１２】
前記密閉容器は、５〜８号程度の植木鉢と略等しい容量を有していることが好ましい。このようなものであれば、所望の植木鉢に適した容量の容器入り園芸用土を選択することにより、容器に入った園芸用土を余さず使い切ることができ、また、この程度の容量の園芸用土であれば、嵩張らず、また、さして重くないので、持ち運びが容易である。
【００１３】
前記大粒径用土層と前記小粒径用土層との間には、メッシュが配設されていることが好ましい。このようなものであれば、前記小粒径用土層と前記大粒径用土層との混合を防ぐことができる。
【００１４】
前記密閉容器の開口態様としては、例えば、その底を塞ぐように設けられた底板を取り除くことにより開口する態様が挙げられ、より詳しくは、前記密閉容器は、その底部側面に形成された挿入孔から挿入されて、前記密閉容器の底を塞ぐ、引抜き除去可能な底板を備えていることが好ましい。
【００１５】
前記小粒径用土層は、瓦破砕材を含有していることが好ましい。瓦破砕材は、植物育成のために適度な透水性を有し、更に、高い有効水分保持量及び肥料保持量を有するが、比重が大きいので、従来の用土と同様、５Ｌ、１０Ｌ又は２０Ｌ容量の袋に収容されて販売するとすれば、持ち運びが極めて困難になる。しかしながら、容量の小さな本発明に係る容器入り園芸用土に配合すれば、手軽に瓦破砕材の効果を享受することができる。
【発明の効果】
【００１６】
このような構成の本発明によれば、初心者や高齢者であっても、手軽に園芸を楽しむことができる。
【図面の簡単な説明】
【００１７】
【図１】本発明の第１実施形態に係る容器入り園芸用土の内部を１部示す部分破断図。
【図２】図１のＡＡ´線における断面図。
【図３】同実施形態に係る容器入り園芸用土を植木鉢に移し替える様子を示す図。
【図４】本発明の第２実施形態に係る容器入り園芸用土の内部を１部示す部分破断図。
【図５】図４のＡＡ´線における断面図。
【図６】同実施形態における底板を示す平面図。
【図７】同実施形態に係る容器入り園芸用土を植木鉢に移し替える様子を示す図。
【図８】本発明の第３実施形態に係る容器入り園芸用土の内部を１部示す部分破断図。
【図９】図８のＡＡ´線における断面図。
【図１０】同実施形態に係る容器入り園芸用土を植木鉢に移し替える様子を示す図。
【発明を実施するための形態】
【００１８】
（第１実施形態）
以下に本発明の第１実施形態について図面を参照して説明する。第１実施形態に係る容器入り園芸用土１は、図１及び図２に示すように、密閉容器２と、当該密閉容器２中に充填された園芸用土３とを備えたものである。
【００１９】
密閉容器２は、外観視略直方体状の中空な用土収容部２１と、当該用土収容部２１の上部に設けられた取っ手部２２とを備えており、例えば、内面がラミネート加工された紙製のものである。用土収容部２１のサイズとしては、５〜８号程度の植木鉢の容量と同程度の容量の園芸用土３が収容可能であるように、用途に応じて適宜選択すればよい。用土収容部２１の底部側面に形成された挿入孔２１１には、用土収容部２１の底を塞ぐように底板２３が挿入されており、当該底板２３を引き抜くことにより、用土収容部２１の底が開口して収容した園芸用土３が吐出されるように構成してある。
【００２０】
園芸用土３は、鉢底石を含有する大粒径用土層３１と、他の用土を含有する小粒径用土層３２とからなる層構造が形成されているものであり、本実施形態では、大粒径用土層３１が用土収容部２１内の下側（底側）に、小粒径用土層３２が上側に配置されている。
【００２１】
大粒径用土層３１に含有される鉢底石としては、例えば、軽石や小石等挙げられる。一方、小粒径用土層３２に含有される他の用土としては、例えば、水ゴケ、腐葉土、バーク堆肥、木炭、くん炭、バーミキュライト、バーライト、ピートモス、ココダスト、樹皮、草炭、草木の粉砕物等の有機資材；ゼオライト、ベントナイト、カオリナイト、火山灰土、赤玉土、鹿沼土、川砂、汚泥等の粘土鉱物やそれらの解砕物又は造粒物；瓦破砕材等が挙げられる。これらは、単独で用いられてもよく、２種以上が併用されてもよいが、通常、これらの２種以上を適宜混合したものが用いられる。更に、小粒径用土層３２には、必要に応じて、各種肥料や根腐れ防止剤等が配合されていてもよい。なかでも、栽培対象に合わせて各種用土、肥料、薬剤が配合された培養土を、小粒径用土層３２に用いることが好ましい。
【００２２】
小粒径用土層３２は、瓦破砕材を含有していることが好ましい。当該瓦破砕材としては、例えば、平均粒径が０．０５〜１０ｍｍであり、孔隙径が０．１〜２０μｍであり、空隙率が５０〜６５％であり、有効水分保持量が５０〜３００Ｌ／ｍ３であり、かつ透水係数が０．０００１〜１ｃｍ／秒である多孔質のものが好適に用いられる。このような瓦破砕材は、植物育成のために適度な透水性を有し、更に、高い有効水分保持量及び肥料保持量を有する。
【００２３】
大粒径用土層３１と小粒径用土層３２との間には、メッシュ３３が配設されており、これにより、大粒径用土層３１と小粒径用土層３２との混合が防止されている。
【００２４】
密閉容器２は、上述のとおり、大粒径用土層３１が配置された用土収容部２１の底側が開口可能に構成してあるので、底板２３を引き抜くと、図３に示すように、大粒径用土層３１が小粒径用土層３２より先に密閉容器２から吐出される。このため、園芸用土３を密閉容器２から植木鉢Ｐに移し替えると、鉢底石が植木鉢Ｐ内の下側（底側）に充填され、粒径の小さな他の用土が植木鉢Ｐ内の上側（植栽面側）に充填される。そして、底板２３をゆっくり引き抜いても、メッシュが介在しているので、大粒径用土層３１と小粒径用土層３２とが混ざり合うことはない。
【００２５】
従って、このようなものであれば、園芸用土３を密閉容器２から植木鉢Ｐに移し替えると、鉢底石が植木鉢Ｐ内の下側（底側）に充填され、粒径の小さな他の用土が植木鉢Ｐ内の上側（植栽面側）に充填されるので、植木鉢Ｐ内に充填された園芸用土３は、良好な通気性、排水性、保水性、保肥性を発現することができる。
【００２６】
また、密閉容器２を５〜８号程度の植木鉢の容量と同程度の容量の園芸用土３が収容可能な容量のものとすることにより、持ち運びが容易となるうえ、密閉容器２に収容されている園芸用土３が植木鉢Ｐ内に過不足なく収まるので、使いかけの園芸用土３が残らずに済むうえ、園芸用土３を密閉容器２から植木鉢Ｐに移し替える際に、園芸用土３の飛び散りやこぼれを防ぐことができる。また、園芸用土３を密閉容器２から植木鉢Ｐに移し替える際に、園芸用土３に直接手が触れないので、手を汚さずに済む。
【００２７】
更に、本実施形態に係る容器入り園芸用土１では、鉢底石と培養土等が一括して密閉容器２内に収容されているので、数種類の用土や肥料等を別個に用意する手間を省くことができる。
【００２８】
また、本実施形態に係る容器入り園芸用土１では、上部に取っ手部２２が形成されているので、持ち運びに好適である。
【００２９】
更に、大粒径用土層３１と小粒径用土層３２との間には、メッシュ３３が配設されているので、例えば、搬送時に振動を受けても、大粒径用土層３１と小粒径用土層３２とが混ざり合わずに済む。なお、当該メッシュ３３は、植木鉢Ｐに園芸用土３が移し替えられた後、当該園芸用土３に植物が植栽されても、植物の根の成長を妨げることはない。
【００３０】
（第２実施形態）
以下に第２実施形態に係る容器入り園芸用土１について説明するが、以下の説明中では第１実施形態と異なる点を中心に説明する。
【００３１】
第２実施形態においては、図４及び図５に示すように、２枚の底板２３が、用土収容部２１の底部の左右両側面に設けられた挿入孔２１１から挿入されて、中央付近で重なり合い（図６参照）、用土収容部２１の底を塞いでいる。そして、用土収容部２１の底部の左右両側面から突出した底板２３の両端を把持して、これら底板２３を引抜くことにより、図７に示すように、用土収容部２１の底が開口し、園芸用土３が大粒径用土層３１から先に吐出される。
【００３２】
本実施形態において、２枚の底板２３の重なり合う側の端縁は、円弧状に形成されている。底板２３の重なり合う側の端縁がこのような形状をとることにより、底板２３を引抜くと、まず、用土収容部２１の底の中央部が開口するので、園芸用土３が中央部から層構造を維持したまま均等に落下しやすくなる。
【００３３】
（第３実施形態）
以下に第３実施形態に係る容器入り園芸用土１について説明するが、以下の説明中では第１実施形態と異なる点を中心に説明する。
【００３４】
第３実施形態に係る容器入り園芸用土１は、図１０に示すように、取っ手部２２が開口可能なように構成してある。このため、用土収容部２１に収容した園芸用土３は、図８及び図９に示すように、大粒径用土層３１が上側に、小粒径用土層３２が下側（底側）に配置されている。
【００３５】
なお、本発明は前記実施形態に限られるものではない。
【００３６】
例えば、用土収容部２１は内部が中空であれば直方体状である必要はなく、例えば、円柱状であってもよく、種々の形状を採用することができる。
【００３７】
取っ手部２２が設けられる位置も特に限定されず、用土収容部２１の側面であってもよい。
【００３８】
用土収容部２１の底部又は上部を開口させる方法は前記実施形態におけるものに限定されず、例えば、用土収容部２１の側周面に、これらを周回するミシン２１１を形成し、ここから用土収容部２１の底部又は上部を切り離し、開口させるようにしてもよい。
【００３９】
前記実施形態では、大粒径用土層３１と小粒径用土層３２との混合を防止するために、メッシュ３３が配設されているが、大粒径用土層３１と小粒径用土層３２との混合を防止することが可能なものであればメッシュ３３に限定されず、例えば、紙等を介在させてもよい。
【００４０】
その他、本発明は、その趣旨を逸脱しない限り、前述した種々の構成の一部又は全部を適宜組み合わせて構成されていてもよい。
【符号の説明】
【００４１】
１・・・容器入り園芸用土
２・・・密閉容器
３・・・園芸用土
３１・・・大粒径用土層
３２・・・小粒径用土層
【図１】
2011130746.tif 000003
【図２】
2011130746.tif 000004
【図３】
2011130746.tif 000005
【図４】
2011130746.tif 000006
【図５】
2011130746.tif 000007
【図６】
2011130746.tif 000008
【図７】
2011130746.tif 000009
【図８】
2011130746.tif 000010
【図９】
2011130746.tif 000011
【図１０】
2011130746.tif 000012